【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
層として、
ｉ）少なくとも一つの熱可塑性ポリマー
を含んでなり、それに接着して、
層として、
ｉｉ）下記を含んでなる反応混合物の反応生成物
ａ）（ｉ）少なくとも一つのイソシアネートと、少なくとも一つのリン酸トリエステルであって該三つのエステル基の少なくとも一つはヒドロキシ官能性アルコキシレートであるもの、との反応から得られたイソシアネート基を含有するプレポリマーであって、約５〜約４５％のイソシアネート基含量を有するプレポリマー、および
（ｉｉ）有機ジイソシアネート
からなる群から選択されるイソシアネート、
ｂ）ａ）（ｉ）の場合は、イソシアネートに対して反応性の化合物、または
ａ）（ｉｉ）の場合は、イソシアネートに対して反応性の化合物と、少なくとも一つのリン酸トリエステルであって該三つのエステル基の少なくとも一つはヒドロキシ官能性アルコキシレートであるものとの混合物、および
任意に、一以上の
ｃ）触媒
ｄ）発泡剤
ｅ）補助物質および／または添加剤
が付着した、複合材料部材。
【請求項２】
熱可塑性ポリマーの層（ｉ）、およびそれに接着するポリイソシアネート重付加生成物の層（ｉｉ）を含有する、請求項１に記載の複合材料部材の製造方法であって、
ａ）（ｉ）少なくとも一つのイソシアネートと、少なくとも一つのリン酸トリエステルであって該三つのエステル基の少なくとも一つはヒドロキシ官能性アルコキシレートであるもの、との反応から得られるイソシアネート基を含有するプレポリマーであって、約５〜約４５％のイソシアネート基含量を有するプレポリマー、および
（ｉｉ）有機ジイソシアネート
からなる群から選択されるイソシアネート、
ｂ）ａ）（ｉ）の場合は、イソシアネートに対して反応性の化合物、または
ａ）（ｉｉ）の場合は、イソシアネートに対して反応性の化合物と、少なくとも一つのリン酸トリエステルであって該三つのエステル基の少なくとも一つはヒドロキシ官能性アルコキシレートであるものとの混合物、および
任意に、一以上の
ｃ）触媒
ｄ）発泡剤
ｅ）補助物質および／または添加剤
を層（ｉ）の存在下で反応させる、方法。
【請求項３】
車両、航空機および不動産建築物の構成部品の製造方法であって、請求項１に記載の複合材料部材を使用することを含む方法。
【請求項４】
車両、航空機および不動産建築物の構成部品の製造方法であって、請求項２の記載に従って作られた複合材料部材を使用することを含む方法。
【請求項５】
熱可塑性ポリマーの付加的な層ｉｉｉ）をさらに含む複合材料部材であって、層ｉｉｉ）が層ｉｉ）に付着する、請求項１に記載の複合材料部材。
【請求項６】
熱可塑性ポリマーの付加的な層ｉｉｉ）をさらに用いる方法であって、層ｉｉｉ）が層ｉｉ）に付着する、請求項２に記載の方法。
【手続補正２】
【補正対象書類名】明細書
【補正対象項目名】００１０
【補正方法】変更
【補正の内容】
【００１０】
それゆえ、本発明は、
層として、
ｉ）熱可塑性ポリマー
を含有し、それに接着して、
層として、
ｉｉ）下記を含有する反応混合物の反応生成物
ａ）（ｉ）少なくとも一つのイソシアネートと、少なくとも一つのリン酸トリエステルであって該三つのエステル基の少なくとも一つはヒドロキシ官能性アルコキシレートであるもの、との反応から得られる、イソシアネート基を含有するプレポリマーであって、５〜４５％のイソシアネート基含量を有するプレポリマー、および
（ｉｉ）有機ジイソシアネート
からなる群から選択されるイソシアネート、
ｂ）ａ）（ｉ）を使用する場合は、イソシアネートに対して反応性の化合物、または
ａ）（ｉｉ）を使用する場合は、イソシアネートに対して反応性の化合物と、少なくとも一つのリン酸トリエステルであって該三つのエステル基の少なくとも一つはヒドロキシ官能性アルコキシレートであるものとの混合物、および
任意に、
ｃ）触媒
ｄ）発泡剤
ｅ）補助物質および／または添加剤
が付着した、複合材料部材を提供する。
【手続補正３】
【補正対象書類名】明細書
【補正対象項目名】００５５
【補正方法】変更
【補正の内容】
【００５５】
例示目的で本発明を上記に詳しく説明したが、そのような詳細は単なる例示目的にすぎず、請求の範囲によって限定され得ることを除き、本発明の意図および範囲から逸脱せずに当業者によって変更され得るものと理解される。
本発明の好ましい態様は、以下を包含する。
［１］  層として、
ｉ）少なくとも一つの熱可塑性ポリマー
を含んでなり、それに接着して、
層として、
ｉｉ）下記を含んでなる反応混合物の反応生成物
ａ）（ｉ）少なくとも一つのイソシアネートと、少なくとも一つのリン酸トリエステルであって該三つのエステル基の少なくとも一つはヒドロキシ官能性アルコキシレートであるもの、との反応から得られたイソシアネート基を含有するプレポリマーであって、約５〜約４５％のイソシアネート基含量を有するプレポリマー、および
（ｉｉ）有機ジイソシアネート
からなる群から選択されるイソシアネート、
ｂ）ａ）（ｉ）の場合は、イソシアネートに対して反応性の化合物、または
ａ）（ｉｉ）の場合は、イソシアネートに対して反応性の化合物と、少なくとも一つのリン酸トリエステルであって該三つのエステル基の少なくとも一つはヒドロキシ官能性アルコキシレートであるものとの混合物、および
任意に、一以上の
ｃ）触媒
ｄ）発泡剤
ｅ）補助物質および／または添加剤
が付着した、複合材料部材。
［２］  熱可塑性ポリマーの層（ｉ）、およびそれに接着するポリイソシアネート重付加生成物の層（ｉｉ）を含有する、請求項１に記載の複合材料部材の製造方法であって、
ａ）（ｉ）少なくとも一つのイソシアネートと、少なくとも一つのリン酸トリエステルであって該三つのエステル基の少なくとも一つはヒドロキシ官能性アルコキシレートであるもの、との反応から得られるイソシアネート基を含有するプレポリマーであって、約５〜約４５％のイソシアネート基含量を有するプレポリマー、および
（ｉｉ）有機ジイソシアネート
からなる群から選択されるイソシアネート、
ｂ）ａ）（ｉ）の場合は、イソシアネートに対して反応性の化合物、または
ａ）（ｉｉ）の場合は、イソシアネートに対して反応性の化合物と、少なくとも一つのリン酸トリエステルであって該三つのエステル基の少なくとも一つはヒドロキシ官能性アルコキシレートであるものとの混合物、および
任意に、一以上の
ｃ）触媒
ｄ）発泡剤
ｅ）補助物質および／または添加剤
を層（ｉ）の存在下で反応させる、方法。
［３］  車両、航空機および不動産建築物の構成部品の製造方法であって、［１］に記載の複合材料部材を使用することを含む方法。
［４］  車両、航空機および不動産建築物の構成部品の製造方法であって、［２］の記載に従って作られた複合材料部材を使用することを含む方法。
［５］  少なくとも一つの熱可塑性ポリマーが、ポリフェニレンオキシド（ＰＰＯ）、ポリ塩化ビニル（ＰＶＣ）、スチレン無水マレイン酸（ＳＭＡ）、アクリロニトリル−ブタジエン−スチレン−アクリレート（ＡＳＡ）、ポリカーボネート（ＰＣ）、熱可塑性ポリウレタン（ＴＰＵ）、ポリエチレン、ポリプロピレン、熱可塑性ポリオレフィン（ＴＰＯ）およびポリカーボネート／スチレン−アクリロニトリル−ブタジエン（ＰＣ／ＡＢＳブレンド）からなる群から選択される、［１］に記載の複合材料部材。
［６］  層（ｉ）が約０．２〜約５ｍｍの厚さを有する、［１］に記載の複合材料部材。
［７］  層（ｉ）が約０．２〜約３ｍｍの厚さを有する、［１］に記載の複合材料部材。
［８］  熱可塑性ポリマーの付加的な層ｉｉｉ）をさらに含む複合材料部材であって、層ｉｉｉ）が層ｉｉ）に付着する、［１］に記載の複合材料部材。
［９］  層ｉｉｉ）の熱可塑性ポリマーが、ポリ塩化ビニル（ＰＶＣ）、アクリロニトリル−ブタジエン−スチレン−アクリレート（ＡＳＡ）、スチレン無水マレイン酸（ＳＭＡ）、熱可塑性ポリウレタン（ＴＰＵ）、ポリエチレン、ポリプロピレン、ポリカーボネート／スチレン−アクリロニトリル−ブタジエン（ＰＣ／ＡＢＳ）および熱可塑性ポリオレフィン（ＴＰＯ）からなる群から選択される、［８］に記載の複合材料部材。
［１０］  少なくとも一つの熱可塑性ポリマーが、ポリフェニレンオキシド（ＰＰＯ）、ポリ塩化ビニル（ＰＶＣ）、スチレン無水マレイン酸（ＳＭＡ）、アクリロニトリル−ブタジエン−スチレン−アクリレート（ＡＳＡ）、ポリカーボネート（ＰＣ）、熱可塑性ポリウレタン（ＴＰＵ）、ポリエチレン、ポリプロピレン、熱可塑性ポリオレフィン（ＴＰＯ）およびポリカーボネート／スチレン−アクリロニトリル−ブタジエン（ＰＣ／ＡＢＳブレンド）からなる群から選択される、［２］に記載の方法。
［１１］  層（ｉ）が約０．２〜約５ｍｍの厚さを有する、［２］に記載の方法。
［１２］  層（ｉ）が約０．２〜約３ｍｍの厚さを有する、［２］に記載の方法。
［１３］  熱可塑性ポリマーの付加的な層ｉｉｉ）をさらに用いる方法であって、層ｉｉｉ）が層ｉｉ）に付着する、［２］に記載の方法。
［１４］  層ｉｉｉ）の熱可塑性ポリマーが、ポリ塩化ビニル（ＰＶＣ）、アクリロニトリル−ブタジエン−スチレン−アクリレート（ＡＳＡ）、スチレン無水マレイン酸（ＳＭＡ）、熱可塑性ポリウレタン（ＴＰＵ）、ポリエチレン、ポリプロピレン、ポリカーボネート／スチレン−アクリロニトリル−ブタジエン（ＰＣ／ＡＢＳ）および熱可塑性ポリオレフィン（ＴＰＯ）からなる群から選択される、［１３］に記載の方法。